(57)【特許請求の範囲】
【請求項１】
下面に設けた凹部内の側面にクリック用の凹凸部を形成してなるつまみと、つまみ載置部を有しこのつまみ載置部上に前記つまみをスライド自在に設置する固定側部材と、前記つまみの凹凸部に弾接するクリック弾接部と基部とを設けて構成され前記基部が前記固定側部材のつまみ載置部の下部に設置されると共に前記クリック弾接部が前記固定側部材のつまみ載置部に設けた挿通部を挿通してつまみ載置部の上部に突出して前記つまみの凹凸部に弾接するクリック部材と、前記クリック部材の基部の下部に設置される押え部材と、摺動型物を収納するスライド式電子部品とを具備し、
前記つまみに設けた固定部を、前記固定側部材のつまみ載置部及びクリック部材の基部を通してその下側に設置した押え部材に固定することで、つまみと押え部材とを一体にすると同時に、つまみ載置部と押え部材の間に挟持されたクリック部材の基部に係止部を設けてこの係止部に固定側部材のつまみ載置部下面に設けた係合部を係合することでクリック部材の基部を固定側部材に取り付け、さらに前記押え部材に前記スライド式電子部品の摺動型物を連結することでつまみと摺動型物とを連動させたことを特徴とするつまみ付きスライド式電子部品。
【請求項２】
前記凹凸部は、つまみ下面に設けた凹部内の両側面に設けられ、前記クリック弾接部は前記両凹凸部に弾接するようにクリック部材の基部の両側に設けられることを特徴とする請求項１記載のつまみ付きスライド式電子部品。
【発明の詳細な説明】
【０００１】
【発明の属する技術分野】
本発明は、つまみをスライドすることでクリック感覚を生じながらその電気的出力を変化するつまみ付きスライド式電子部品に関するものである。
【０００２】
【従来の技術】
従来各種電子機器には、この電子機器を操作するため、スライド式のつまみが取り付けられている。この種スライド式のつまみは、電子機器のケース表面に設置されると共にケースの裏面側に設置したスライド式電子部品の摺動型物に連結される。そしてつまみをスライド移動することでスライド式電子部品が操作されるが、つまみをスライドする際に、つまみを所定の位置で停止させ、その際所定のクリック感覚を生じるように構成する場合がある。
【０００３】
つまみ付きスライド式電子部品においてクリック感覚を生じさせようとする場合、従来はスライド式電子部品を構成するケースと摺動型物の間にクリック機構部を設け、これによってクリック感覚を生じさせるようにしていた。この種クリック機構部は一般にケースと摺動型物の何れかの側に設けた凹凸に他方の側に設けた弾発手段を弾発させることで構成されているので、このクリック機構はつまみのスライド移動に所定の抵抗を与える機能も有する。しかしながらケースと摺動型物の間にクリック機構部を設けると、クリック機構が小型になるのでクリック感覚が小さくなり同時につまみのスライド移動に対する抵抗が軽くなる。このためつまみに手等が当たって意図しないで簡単につまみがスライド移動してしまう恐れがあった。一方つまみの移動に必要な力を強くするために、ケースと摺動型物の間に設けるクリック機構部の弾発手段による凹凸への弾発力を強くすると、クリック感覚を生じる際の振動が摺動型物に直接強く加わって電気的出力にノイズを生じる恐れがあり、結局クリック機構部の弾発力を強くすることはできなかった。
【０００４】
一方クリック機構部の弾発手段によるクリック弾発力を強くしてつまみのスライドに必要な力を強くするには、このクリック機構部をスライド式電子部品とつまみの間に別途独立して設けることが考えられる。即ち図６に示すつまみ付きスライド式電子部品２００のように、ケース２０１に設けたつまみ収納部２０３内に矢印ａ方向にスライド自在につまみ２０５を収納し、このつまみ２０５とケース２０１下面側に収納した移動体２０７をケース２０１を挟んで連結し、移動体２０７下面にスライド式電子部品２０９から突出する摺動型物のレバー２１１を取り付け、一方移動体２０７から伸ばした弾性アーム２１２先端に設けた突起２１３をケース２０１下面に設けた凹凸２１５に弾接させ、つまみ２０５をスライド移動することでこれと一体に移動体２０７とレバー２１１とをスライドさせてスライド式電子部品２０９の電気的出力を変化すると同時に、突起２１３が凹凸２１５を乗り越えることでクリック感覚を生じさせる。このように構成すれば、クリック機構部をスライド式電子部品２０９内に設ける場合に比べて確実につまみ２０５の移動に必要な力を大きくでき、同時にクリック感覚を強くできる。なお２１７はフレキシブル基板、２１９は剛性を有する基台であって、ケース２０１は基台２１９に固定されている。
【０００５】
しかしながらこのつまみ付きスライド式電子部品２００の場合、つまみ２０５とスライド式電子部品２０９の間に別個に移動体２０７を設置してクリック機構部を構成しているので、つまみ付きスライド式電子部品２００全体が大型化してしまう。また移動体２０７の突起２１３はケース２０１を上方向に弾発するのでケース２０１とこのケース２０１を取り付ける基台２１９間には両者間を開く方向の力が作用し、前記突起２１３による凹凸２１５への弾発力をあまり強くすると両者間の取り付けを弱める恐れがある。
【０００６】
【発明が解決しようとする課題】
本発明は上述の点に鑑みてなされたものでありその目的は、つまみのスライド時の抵抗を強くできると同時にスライド式電子部品の出力にノイズも生じず、小型化が図れるつまみ付きスライド式電子部品を提供することにある。
【０００７】
【課題を解決するための手段】
上記問題点を解決するため本発明にかかるつまみ付きスライド式電子部品は、下面に設けた凹部内の側面にクリック用の凹凸部を形成してなるつまみと、つまみ載置部を有しこのつまみ載置部上に前記つまみをスライド自在に設置する固定側部材と、前記つまみの凹凸部に弾接するクリック弾接部と基部とを設けて構成され前記基部が前記固定側部材のつまみ載置部の下部に設置されると共に前記クリック弾接部が前記固定側部材のつまみ載置部に設けた挿通部を挿通してつまみ載置部の上部に突出して前記つまみの凹凸部に弾接するクリック部材と、前記クリック部材の基部の下部に設置される押え部材と、摺動型物を収納するスライド式電子部品とを具備し、前記つまみに設けた固定部を、前記固定側部材のつまみ載置部及びクリック部材の基部を通してその下側に設置した押え部材に固定することで、つまみと押え部材とを一体にすると同時に、つまみ載置部と押え部材の間に挟持されたクリック部材の基部に係止部を設けてこの係止部に固定側部材のつまみ載置部下面に設けた係合部を係合することでクリック部材の基部を固定側部材に取り付け、さらに前記押え部材に前記スライド式電子部品の摺動型物を連結することでつまみと摺動型物とを連動させたことを特徴とする。
【０００８】
また本発明は、前記凹凸部が、つまみ下面に設けた凹部内の両側面に設けられ、前記クリック弾接部は前記両凹凸部に弾接するようにクリック部材の基部の両側に設けられることを特徴とする。
【００１０】
【発明の実施の形態】
以下、本発明の実施の形態を図面を参照して詳細に説明する。
図１は本発明の一実施形態にかかるつまみ付きスライド式電子部品１の要部概略断面図、図２はその分解斜視図である。両図に示すようにこのつまみ付きスライド式電子部品１は、取付部材１０及びフレキシブル基板２０上に取り付けられたスライド式電子部品３０の上に、つまみ９０とクリック部材５０と押え部材４０とを取り付けた固定側部材（以下この実施形態では「ケース」という）６０を覆い被さるように取り付けて構成されている。以下各構成部品について説明する。
【００１１】
取付部材１０は剛性のある板、例えば金属板で構成され、下記するスライド式電子部品３０の爪３２を挿入する穴１１（図１参照）を設けている。フレキシブル基板２０は可撓性を有する合成樹脂フイルム上に下記する摺動子３５が摺接する摺接パターン２１，２１を設け、また下記するスライド式電子部品３０の爪３２を挿入する穴２３（図１参照）を設けて構成されている。また取付部材１０とフレキシブル基板２０の両者には下記するケース６０の固定部７５を挿入する固定孔２５（１５）が設けられている。
【００１２】
スライド式電子部品３０は長方形状のケース３１内にモールド樹脂製の摺動型物３３をスライド自在に収納し、摺動型物３３の下面に取り付けた摺動子３５を前記フレキシブル基板２０の摺接パターン２１，２１に当接している。ケース３１はその下面に設けた爪３２を前記フレキシブル基板２０と取付部材１０に設けた穴２３，１１に挿入して取付部材１０の下面で折り曲げて固定する。ケース３１上面には長穴３７が設けられ、この長穴３７からは摺動型物３３のレバー３９が突出している。従ってレバー３９を長穴３７内でスライド移動すれば、摺動子３５が摺接パターン２１，２１上を摺動し、その電気的出力を変化する。
【００１３】
次にケース６０はモールド樹脂製であり、その下部にスライド式電子部品３０収納用の凹状の電子部品収納部６１が設けられると共に、その上部につまみ９０載置用の凹状のつまみ収納部６３を設けて構成されている。つまみ収納部６３と電子部品収納部６１の間を仕切るつまみ載置部６５には、つまみ９０のスライド方向に向けて延びる貫通孔からなるガイド部６７が設けられ、ガイド部６７の両側にはガイド部６７に沿うように平板状のガイド板６９，６９が設けられ、さらにガイド板６９，６９の両外側にはクリック部材５０の下記するアーム部５３，５３を挿通する貫通孔からなる挿通部７１，７１が設けられている。またつまみ載置部６５の下面であってガイド部６７の両端部近傍には下方向に突出する突起からなる係合部７３，７３が設けられている。またケース６０の外周下面には複数本の突起状の固定部７５が設けられている。
【００１４】
図３はクリック部材５０を裏面側から見た斜視図である。図２，図３に示すようにクリック部材５０は弾性金属板製であり、長方形状の平板状の基部５１の両側辺に両端を接続してなるアーム部５３，５３を設け、これらアーム部５３，５３を上方向に折り曲げて構成されている。基部５１にはその中央につまみ９０に設けた下記するガイド部材９５を挿通する長穴からなる挿通部５５と、その両側の小穴からなる係止部５７，５７とが設けられている。両アーム部５３，５３の中央には外方向に向かって突出するように湾曲してなるクリック弾接部５９，５９が形成されている。挿通部５５とケース６０に設けたガイド部６７の形状寸法は略同一に形成されている。
【００１５】
押え部材４０は金属板製であり、中央に設けた小孔からなるレバー挿入部４１と、その両側に設けた小孔からなる挿入孔４３，４３とを設けて構成されている。
【００１６】
図４はつまみ９０を裏面側から見た斜視図である。図２，図４に示すように、つまみ９０はモールド樹脂製であり、下面に凹部９１を設け、凹部内周側面のスライド方向両側面にそれぞれ凹凸部９３，９３を設け、さらに凹部９１の下面中央から下方に向かって略長方形状の板状のガイド部材９５を突出して設け、さらにガイド部材９５の下面両端から突起状の固定部９８，９８を突出して構成されている。
【００１７】
そしてつまみ付きスライド式電子部品１を組み立てるには、つまみ９０をケース６０のつまみ収納部６３内に載置し、その際つまみ９０のガイド部材９５をケース６０のガイド部６７内に挿入する。次にケース６０の電子部品収納部６１側にクリック部材５０を挿入して両アーム部５３，５３を挿通部７１，７１に挿入・貫通してつまみ収納部６３側に突出し、基部５１をつまみ載置部６５（ガイド板６９，６９）の下面に当接し、その際つまみ載置部６５の下面に設けた係合部７３，７３を係止部５７，５７に挿入する。このときつまみ９０のガイド部材９５から突出する２本の固定部９８，９８はクリック部材５０の挿通部５５を貫通してその下側に突出しているので、クリック部材５０の基部５１の下面に押え部材４０を配置して押え部材４０の２つの挿入孔４３，４３に前記固定部９８，９８を挿入してその頭部を押え部材４０の下面側で熱カシメすれば、図１に示すようにクリック部材５０はケース６０のガイド板６９，６９の下面（つまみ載置部６５の下面）と押え部材４０の間に挟持されて上下方向には移動できず、従って係合部７３，７３と係止部５７，５７の係合状態は外れないのでクリック部材５０はケース６０に対してこの位置に固定される。またこのときクリック部材５０の一対のクリック弾接部５９，５９はそれぞれつまみ９０に設けた一対の凹凸部９３，９３に弾接している。
【００１８】
そしてこれらつまみ９０とクリック部材５０と押え部材４０を取り付けたケース６０をスライド式電子部品３０を取り付けたフレキシブル基板２０上に載置して取付部材１０とフレキシブル基板２０の両者に設けた固定孔２５（１５）にケース６０の固定部７５を挿入してその先端を取付部材１０の下面で熱カシメすることで一体化する。このときスライド式電子部品３０のレバー３９の先端は押え部材４０のレバー挿入部４１に挿入されるので、つまみ９０と押え部材４０と摺動型物３３は一体にスライド移動する。即ち押え部材４０は、クリック部材５０のケース６０への固定と、つまみ９０と摺動型物３３間の連結の２つの機能を有する。
【００１９】
図５は以上のようにして構成されたつまみ付きスライド式電子部品１を示す斜視図である。図５においてはつまみ９０はケース６０のつまみ収納部６３の左側に位置しており、この位置でクリック部材５０の両クリック弾接部５９，５９がつまみ９０の凹凸部９３，９３の一方の凹部に係合している。
【００２０】
そしてつまみ９０を図５に示す矢印Ａ方向にスライドすれば、つまみ９０の凹凸部９３，９３の一方の凹部への両クリック弾接部５９，５９の係合が離脱して凹凸部９３，９３の反対側凹部へ係合し、このときクリック感覚が生じ、同時につまみ９０と一体に押え部材４０と摺動型物３３がスライドし、摺動子３５が摺接パターン２１，２１上を摺動し、その電気的出力を変化する。
【００２１】
ところで本実施形態においては、クリック部材５０とつまみ９０の凹凸部９３，９３からなるクリック機構部を、スライド式電子部品３０とは別の部分に設けたので、クリック部材５０による凹凸部９３，９３への弾発力を容易に強くでき、容易に強いクリック感覚が得られ、同時につまみ９０のスライド移動に対する抵抗を強く出来てつまみ９０に手等が当たっても意図しないでつまみ９０がスライド移動する恐れも確実に防止できる。しかもクリック機構部とスライド式電子部品３０とは別体なので、たとえクリック機構部の弾発力を強くしてクリック感覚を強くしても、スライド式電子部品３０の摺動型物３３にクリック感覚を生じる際の振動が直接強く加わることはなく、電気的出力にノイズを生じる恐れもない。特に本実施形態においては、一対のクリック弾接部５９，５９が一対の凹凸部９３，９３に弾接するので、クリック感覚やスライド移動に対する抵抗は２倍になり、より効果的である。と同時にクリック弾接部５９，５９と凹凸部９３，９３の弾接部分が左右対称なので、力のバランスが良い。
【００２２】
しかも本実施形態においては、クリック部材５０のクリック弾接部５９，５９をつまみ９０の凹部９１内に挿入したので、クリック部材５０を取り付けたにもかかわらずつまみ付きスライド式電子部品１が大型化せずその小型化・薄型化が図れる。また本実施形態においてはクリック弾接部５９，５９をつまみ９０の凹部９１の両側面に設けた凹凸部９３，９３に弾接するように構成したので、この弾接力はつまみ９０やケース６０や取付部材１０を引き離す方向への力とならず、これら各部材間の取り付け構造を弱めることもない。
【００２３】
またクリック弾接部５９，５９をつまみ９０の凹部９１の側面に設けた凹凸部９３，９３に弾接するように構成したので、つまみ９０の往復移動の何れのスライド方向に対しても同じクリック感覚が得られる。
【００２４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。
【００２５】
【発明の効果】
以上詳細に説明したように本発明によれば以下のような優れた効果を有する。
▲１▼クリック部材とつまみの凹凸部からなるクリック機構部を、スライド式電子部品とは別の部分に設けたので、クリック部材による凹凸部の弾発力を容易に強くでき、容易に強いクリック感覚が得られ、同時につまみのスライド移動に対する抵抗を強く出来てつまみに手等が当たっても意図しないでつまみがスライド移動する恐れも確実に防止できる。
【００２６】
▲２▼クリック機構部とスライド式電子部品とは別体なので、たとえクリック機構部の弾発力を強くしてクリック感覚を強くしても、スライド式電子部品の摺動型物にクリック感覚を生じる際の振動が直接強く加わることはなく、電気的出力にノイズを生じる恐れはない。
【００２７】
▲３▼クリック部材を取り付けたにもかかわらず、クリック部材のクリック弾接部をつまみの凹部内の凹凸部に弾接させたので、クリック弾接部がつまみの凹部内に挿入され、つまみ付きスライド式電子部品の小型化・薄型化が図れる。
【００２８】
▲４▼クリック弾接部をつまみの凹部の両側面に設けた凹凸部に弾接するように構成したので、その弾発力がつまみや固定側部材等の各部材を引き離す方向への力とならず、これら各部材間の取り付けを弱めない。
【図面の簡単な説明】
【図１】本発明の一実施形態にかかるつまみ付きスライド式電子部品１の要部概略断面図である。
【図２】つまみ付きスライド式電子部品１の分解斜視図である。
【図３】クリック部材５０を裏面側から見た斜視図である。
【図４】つまみ９０を裏面側から見た斜視図である。
【図５】組み立てたつまみ付きスライド式電子部品１を示す斜視図である。
【図６】つまみ付きスライド式電子部品２００を示す斜視図である。
【符号の説明】
１  つまみ付きスライド式電子部品
１０  取付部材
２０  フレキシブル基板
２１  摺接パターン
３０  スライド式電子部品
３１  ケース
３３  摺動型物
３５  摺動子
３９  レバー
４０  押え部材
４１  レバー挿入部
４３  挿入孔
５０  クリック部材
５１  基部
５３  アーム部
５５  挿通部
５７  係止部
５９  クリック弾接部
６０  ケース（固定側部材）
６１  電子部品収納部
６３  つまみ収納部
６５  つまみ載置部
６７  ガイド部
６９  ガイド板
７１  挿通部
９０  つまみ
９１  凹部
９３  凹凸部
９５  ガイド部材
９８  固定部
【図１】
0004086538.tif 000002
【図２】
0004086538.tif 000003
【図３】
0004086538.tif 000004
【図４】
0004086538.tif 000005
【図５】
0004086538.tif 000006
【図６】
0004086538.tif 000007